(57)【要約】【課題】脂肪燃焼効果のある香りを効果的に放出する車両用香り発生器を提供する。【解決手段】脂肪燃焼効果のある芳香剤を収容しかつ開口部を有する芳香剤収容部と、開口部を開放して芳香剤を車室内に放出する開位置と開口部を閉鎖して芳香剤を遮断する閉位置との間で移動して開閉する弁と、予め定めた香り発生器の作動条件において弁が一定時間だけ開弁させられるように制御される。【選択図】　　　図１
2004142611.tif 000002
【特許請求の範囲】
【請求項１】
脂肪燃焼効果のある芳香剤を収容しかつ開口部を有する芳香剤収容部と、
前記開口部を開放して前記芳香剤を車室内に放出する開位置と前記開口部を閉鎖して前記芳香剤を遮断する閉位置との間で移動して開閉する弁と、
予め定めた香り発生器の作動条件において前記弁が一定時間だけ開弁させられるように制御されることを特徴とする車両用香り発生器。
【請求項２】
前記脂肪燃焼効果のある芳香剤はグレープフルーツの香りであることを特徴とする請求項１に記載の車両用香り発生器。
【請求項３】
前記香り発生器は電子制御装置を介してコントローラと接続されており、前記予め定められた条件は、前記コントローラを介して乗員が定めた時刻であることであることを特徴とする請求項１又は２に記載の車両用香り発生器。
【請求項４】
前記香り発生器は電子制御装置を介してカーナビシステムと接続されており、前記予め定められた条件は、前記カーナビシステムで示す車両の現在地が飲食店でありかつ前記車両のエンジンが作動停止させられた後に再度作動開始させられることであることを特徴とする請求項１又は２に記載の車両用香り発生器。
【請求項５】
前記香り発生器は電子制御装置を介して生体センサと接続されており、前記予め定められた条件は、前記生体センサで検出した値が予め定めた閾値以上であることであることを特徴とする請求項１又は２に記載の車両用香り発生器。
【発明の詳細な説明】
【０００１】
【発明の属する技術分野】
本発明は車両用香り発生器に関する。
【０００２】
【従来の技術】
従来、種々の芳香剤の中には脂肪燃焼効果のある芳香剤があり、このような芳香剤は、主にダイエットを望む人に広く利用されている。このような芳香剤を車室内でも利用しようとした場合、単に車室内に芳香剤を放置しただけでは、車両乗員は常に香りを嗅ぐことで乗員の鼻が慣れてしまい、脂肪燃焼効果が不十分となるという不具合が発生する。
【０００３】
また、従来では、車両には、脂肪燃焼効果のある芳香剤の香りを放出する香り発生器がなく、車両乗員が脂肪燃焼効果のある芳香剤の香りを効果的に利用することができないという問題があった。
【０００４】
【発明が解決しようとする課題】
上記問題点を鑑み、本発明の目的は、車室内に脂肪燃焼効果のある芳香剤の香りを効果的に放出する車両用香り発生器を提供することである。
【０００５】
【課題を解決するための手段】
本発明の請求項１に係る車両用香り発生器によれば、脂肪燃焼効果のある芳香剤を収容しかつ開口部を有する芳香剤収容部と、開口部を開放して芳香剤を車室内に放出する開位置と開口部を閉鎖して芳香剤を遮断する閉位置との間で移動して開閉する弁と、予め定めた香り発生器の作動条件において弁が一定時間だけ開弁させられるように制御される。これにより、脂肪燃焼効果のある芳香剤の香りを車室内に断続的に放出し、脂肪燃焼効果を向上させることができる。
【０００６】
請求項２に係る車両用香り発生器によれば、脂肪燃焼効果のある芳香剤はグレープフルーツの香りである。これにより、脂肪燃焼効果のある芳香剤を最も効果的であるグレープフルーツの香りに限定している。
【０００７】
請求項３に係る車両用香り発生器によれば、香り発生器は電子制御装置を介してコントローラと接続されており、予め定められた条件は、コントローラを介して乗員が定めた時刻であることである。これにより、乗員が望む時間に芳香剤の香りを放出し、脂肪燃焼効果を向上させることができる。
【０００８】
請求項４に係る車両用香り発生器によれば、香り発生器は電子制御装置を介してカーナビシステムと接続されており、予め定められた条件は、カーナビシステムで示す車両の現在地が飲食店でありかつ車両のエンジンが作動停止させられた後に再度作動開始させられることである。これにより、車両が飲食店にある時に再度乗車した乗員が食後であるとみなし、車室内に芳香剤の香りを放出し、脂肪燃焼の効果を向上させることができる。
【０００９】
請求項５に係る車両用香り発生器によれば、香り発生器は電子制御装置を介して生体センサと接続されており、予め定められた条件は、生体センサで検出した値が予め定めた閾値以上であることである。これにより、生体センサにより乗員が食後であるとみなし、車室内に芳香剤の香りを放出し、脂肪燃焼効果を向上させることができる。
【００１０】
【発明の実施の形態】
以下、本発明の実施例について添付図面を参照しつつ詳細に説明する。最初に第一実施例の車両用香り発生器について説明する。香り発生器１０は、本実施例では、空気清浄器に内蔵されている。例えば、香り発生器１０は、空気清浄器の主空気通路において、芳香剤収容部の形態でファン、除塵フィルタ及び脱臭フィルタの下流に配置されている。この芳香剤収容部は、脂肪燃焼効果のある芳香剤を収容しかつ開口部を有している。この開口部には弁が設けられており、この弁は、開口部を開放して芳香剤を車室内に放出する開位置と開口部を閉鎖して芳香剤を遮断する閉位置との間で移動する。このような構成により、空気通路中のファンを作動しかつ弁を開弁した時、フィルタにより清浄された空気は、芳香剤の香りが芳香剤収容部の開口部を通して主空気通路に流入する芳香剤の香りを伴出して車室内に分布される。
【００１１】
図１は本発明の第一実施例の車両用香り発生器及びそれに関連した構成要素のブロック図である。図１に示すように、香り発生器１０及び空気清浄器６０は電子制御装置（ＥＣＵ）２０に接続されており、ＥＣＵ２０から香り発生器１０の弁の開閉についての指令信号が香り発生器１０に伝達され、空気清浄器６０の作動又は作動停止についての指令信号が空気清浄器６０に伝達される。また、ＥＣＵ２０にはコントローラ３０がさらに接続されている。コントローラ３０は、例えば計器盤などに隣接して配置されており、香り発生器１０を作動させるべき時刻を乗員が入力することができる。なお、ＥＣＵ２０は、乗員の鼻が慣れることなく効果を向上させるべく、この作動時刻から５分以上の数分間の間において３０秒間隔で間欠的に弁を開閉するように弁に指令信号を伝達する。
【００１２】
操作時には、食後に脂肪燃焼効果のある芳香剤を嗅ぐと最も効果的であることを考慮して乗員自らがコントローラ３０で香り発生器１０の作動時間を食後の時刻に設定する、すなわち、香り発生器１０の作動条件を乗員の食後に予め定めることにより、設定した時刻から香り発生器１０の弁が３０秒間隔の開閉動作を繰り返して数分後に閉弁する。このように、本発明の車両用香り発生器は、脂肪燃焼効果のある香りを効果的に放出することができる。
【００１３】
次に第二実施例の車両用香り発生器について説明する。図２は第二実施例の車両用香り発生器及びそれに関連した構成要素のブロック図である。本実施例では、図２に示すように、香り発生器１０及び空気清浄器６０は、第一実施例と同様にＥＣＵ２０に接続されている。また、ＥＣＵ２０にはカーナビシステム４０がさらに接続されている。これにより、車両の現在地に関する信号がＥＣＵ２０に伝達されうる。
【００１４】
操作時には、カーナビシステム４０で示す現在地が飲食店でありかつ車両のエンジンが作動停止させられた後に再度作動開始させられることを乗員の食後とみなし、この条件を香り発生器の作動条件とすることにより、この条件に該当する場合において香り発生器１０が作動を開始し、数分後に作動停止する。このように、本発明の車両用香り発生器は、脂肪燃焼効果のある香りを効果的に放出することができる。
【００１５】
次に第三実施例の車両用香り発生器について説明する。図３は第三実施例の車両用香り発生器及びそれに関連した構成要素のブロック図である。本実施例では、図３に示すように、香り発生器１０及び空気清浄器６０は、第一実施例と同様にＥＣＵ２０に接続されている。また、ＥＣＵ２０には生体センサ５０がさらに接続されている。この生体センサ５０は、食事後の乗員が発する生体信号を検出しうる生体センサであり、この生体センサ５０で検出された値に関する信号はＥＣＵ２０に伝達され、この検出値が予め定めた閾値と比較される。
【００１６】
操作時には、香り発生器の作動条件を乗員が発する生体に関する検出値が予め定めた閾値以上であることを乗員の食後とみなし、この条件を香り発生器の作動条件とすることにより、この条件に該当する場合において香り発生器１０が作動を開始し、数分後に作動停止する。このように、本発明の車両用香り発生器は、脂肪燃焼効果のある香りを効果的に放出することができる。
【００１７】
以上の説明では、本発明の香り発生器を空気清浄器に内蔵された形態として説明したが、例えば空調装置に内蔵された形態や独立した形態などでもよい。
【図面の簡単な説明】
【図１】本発明の第一実施例の車両用香り発生器及びそれに関連した構成要素のブロック図である。
【図２】本発明の第二実施例の車両用香り発生器及びそれに関連した構成要素のブロック図である。
【図３】本発明の第三実施例の車両用香り発生器及びそれに関連した構成要素のブロック図である。
【符号の説明】
１０…香り発生器
【図１】
2004142611.tif 000003
【図２】
2004142611.tif 000004
【図３】
2004142611.tif 000005